(57)【要約】【課題】媒体の磁気データの読み取り又は書き込み時の磁気データ処理の誤りを防止する装置を提供することにある。【解決手段】通帳１１の磁気データ処理範囲１３に磁気データ処理を行う磁気ヘッド１６と、磁気ヘッド１６の近傍とその前後に配置された駆動ローラ１７、１９、２０とピンチローラ１８、２２、２３とにより通帳１１を搬送する。駆動ローラ１７、１９、２０を駆動するパルスモータ２５を備え、通帳１１を搬送させながら固定された磁気ヘッド１６で通帳１１の磁気データ処理を行う通帳の磁気データ処理装置を前提とする。磁気データ処理範囲１３での磁気データ処理中に磁気ヘッド１６の前後の駆動ローラ１９と２０に通帳１１が突入しない位置に駆動ローラ１９，２０を設置した。【選択図】      図２
2006163595.tif 000002
【特許請求の範囲】
【請求項１】
媒体の磁気データ処理範囲に磁気データ処理を行う磁気ヘッドと、この磁気ヘッドの近傍かつその前後に配置され前記媒体を搬送する各搬送手段と、この各搬送手段を駆動する駆動手段を備え、前記媒体を搬送させながら固定された前記磁気ヘッドで前記媒体の磁気データ処理を行う媒体の磁気データ処理装置において、前記磁気データ処理範囲での磁気データ処理中に前記磁気ヘッドの前後の前記搬送手段に前記媒体が突入しない位置に前記搬送手段を設置したことを特徴とする媒体の磁気データ処理装置。
【請求項２】
媒体の磁気データ処理範囲に磁気データ処理を行う磁気ヘッドと、この磁気ヘッドのＭＳ列と−１列、＋１列、＋２列とに配置され前記媒体を搬送する各搬送手段と、この各搬送手段を駆動する駆動手段を備え、前記媒体を搬送させながら固定された前記磁気ヘッドで前記媒体の磁気データ処理を行う媒体の磁気データ処理装置において、前記磁気データ処理範囲での磁気データ処理中に前記磁気ヘッドの前記−１列と前記＋２列の前記搬送手段に前記媒体が突入しない位置に前記搬送手段を設置したことを特徴とする媒体の磁気データ処理装置。
【請求項３】
媒体の磁気データ処理を行う磁気ヘッドと、この磁気ヘッドの近傍かつその前後に配置され前記媒体を搬送する各搬送手段と、この各搬送手段を駆動する駆動手段を備え、前記媒体を搬送させながら固定された前記磁気ヘッドで前記媒体の磁気データ処理を行う媒体の磁気データ処理装置において、−１列の搬送手段とＭＳ列の搬送手段との間隔をＸ、ＭＳ列の搬送手段と＋１列の搬送手段との間隔をＹ、前記媒体の先端から前記磁気データ処理範囲の開始位置までの距離をＣ、前記磁気データ処理範囲の開始位置から前記媒体の後端までの距離をＤとすると、Ｙ＜Ｃ、Ｘ＞Ｄの関係であることを特徴とする媒体の磁気データ処理装置。
【請求項４】
媒体の磁気データ処理範囲に磁気データ処理を行う磁気ヘッドと、この磁気ヘッドのＭＳ列と−１列、＋１列、＋２列に配置され前記媒体を搬送する各搬送手段と、この各搬送手段を駆動する駆動手段を備え、前記媒体を搬送させながら固定された前記磁気ヘッドで前記媒体の磁気データ処理を行う媒体の磁気データ処理装置において、前記−１列の搬送手段と前記ＭＳ列の搬送手段との間隔をＸ、前記ＭＳ列の搬送手段と前記＋１列の搬送手段との間隔をＹ、前記＋１列の搬送手段と前記＋２列の搬送手段との間隔Ｚ、前記媒体の先端から前記磁気データ処理範囲の開始位置までの距離をＣ、前記磁気データ処理範囲の開始位置から前記媒体の後端までの距離をＤとすると、Ｙ＋Ｚ＜Ｃ、Ｘ＞Ｄの関係であることを特徴とする媒体の磁気データ処理装置。
【発明の詳細な説明】
【技術分野】
【０００１】
本発明は、金融機関で取り扱う媒体としての通帳等に有する磁気ストライプの磁気データを処理する媒体の磁気データ処理装置に関する。
【背景技術】
【０００２】
従来、媒体の磁気データ処理装置は、媒体としての通帳を挿入口から挿入すると、ローラ列としての駆動ローラとピンチローラにより装置内に吸入される。さらに、通帳は搬送されながら磁気ヘッドにより磁気ストライプに記録された磁気データを読み込みまたは書き込み処理を行うようになっている。
【０００３】
この装置においては、駆動ローラとピンチローラとで通帳を挟み搬送するようになっている。さらに、ピンチローラには圧力調整手段が設けられている。この圧力調整手段により通帳を挟む圧力を磁気データ処理が終わるまで減圧させる。また、磁気ヘッドに位置調節手段が設けられている。この位置調節手段により、磁気ヘッドを通帳に対し上下に移動させるようになっている。（例えば、特許文献１参照）。
【特許文献１】特開平７−５７３７４号公報
【発明の開示】
【発明が解決しようとする課題】
【０００４】
しかし、媒体を搬送させるときのローラへの突入、脱出による速度変動により、正常な磁気データ処理ができないことがある。また、通帳を搬送するローラ列の一部であるピンチローラは、通帳に対する圧力を減圧するための機構が複雑となりコスト高になる。
【０００５】
本発明の目的は、特別な機構を有することなく、媒体の磁気データの読み取り又は書き込み時の誤りを防止する媒体の磁気データ処理装置を提供することにある。
【課題を解決するための手段】
【０００６】
本発明に係る媒体の磁気データ処理装置は、前記課題を解決したものであって、次のようなものである。すなわち、媒体の磁気データ処理範囲に磁気データ処理を行う磁気ヘッドと、この磁気ヘッドの近傍かつその前後に配置され前記媒体を搬送する各搬送手段と、この各搬送手段を駆動する駆動手段を備え、前記媒体を搬送させながら固定された前記磁気ヘッドで前記媒体の磁気データ処理を行う媒体の磁気データ処理装置を前提とする。磁気データ処理範囲での磁気データ処理中に前記磁気ヘッドの前後の前記搬送手段に前記媒体が突入しない位置に前記搬送手段を設置したことを特徴とする。
【発明の効果】
【０００７】
本発明によれば、媒体のローラ列への突入、脱出における速度変動による媒体の磁気データの読み取り又は書き込み時の誤りを回避することができる。
【発明を実施するための最良の形態】
【０００８】
以下、本発明の一実施の形態について図面を参照して説明する。
【０００９】
まず、図１は、本実施の形態に係る媒体の磁気データ処理装置で処理可能な媒体としての通帳の一例として通称２０００号と呼ばれる通帳を示すものである。
【００１０】
図１には、媒体である通帳１１の見開きの状態を示す。この通帳１１について具体的に説明する。１２は磁気ストライプである。この磁気ストライプ１２には磁気データの書き込みまたは読み取りに利用する磁気データ処理範囲１３を有する。
【００１１】
通帳１１の外形寸法は長さＡがほぼ１７５ｍｍ、幅Ｂがほぼ１４０ｍｍである。通帳１１の先端１４から磁気データ処理範囲１３の開始位置までの長さＣがほぼ１０４．５ｍｍ、磁気データ処理範囲１３の開始位置から通帳１１の後端１５までの長さＤがほぼ７０．５ｍｍ、磁気ストライプ１２の磁気データ処理範囲１３の長さＥがほぼ６１．５ｍｍとする。
【００１２】
次に、図２は本発明の一実施の形態に係る媒体の磁気データ処理装置の構成を示す。
【００１３】
図２において、１６は磁気ヘッドで装置内に固定されている。この磁気ヘッド１６は、媒体としての通帳１１に設けられた磁気ストライプ１２の磁気データ処理範囲１３に対して読み取り又は書き込み等の磁気データ処理を行う。
【００１４】
１７は駆動ローラである。この駆動ローラ１７は磁気ヘッド１６の近傍に設けられている。１８はピンチローラである。このピンチローラ１８は駆動ローラ１７に対向して設けられている。
【００１５】
１９，２０，２１は駆動ローラである。この駆動ローラ１９，２０，２１は磁気ヘッド１６の前後に設けられている。２２，２３，２４はピンチローラである。各駆動ローラ１９，２０，２１に対向して設けられている。駆動ローラ１７，１９，２０，２１とピンチローラ１８，２２，２３，２４とからなるローラ列の搬送手段は、通帳を挟んで搬送するようになっている。
【００１６】
２５は駆動手段としてのパルスモータである。このパルスモータ２５は各駆動ローラ１７，１９，２０，２１を駆動する。
【００１７】
２６は位置検出手段としてのセンサである。このセンサ２６は通帳１１の位置を検出する。また、センサ２６は、複数、設置してもよい。
【００１８】
２７は制御部である。この制御部２７はパルスモータ２５およびセンサ２６のデータに基づき磁気ヘッド１６等を制御する。
【００１９】
磁気データの書き込み時は、通帳１１は駆動ローラ１９，１７，２０，２１、の順に搬送され、磁気データの読み取り時は、通帳１１は駆動ローラ２１，２０，１７，１９の順に搬送される。
【００２０】
次に磁気ヘッド１６と駆動ローラ１７，１９，２０，２１の位置関係を具体的に説明する。
【００２１】
第１の実施の形態において、ＭＳ列の搬送手段と前方の−１列の搬送手段との間隔Ｘは８０ｍｍ、ＭＳ列の搬送手段と後方の＋１列の搬送手段の間隔Ｙは１００ｍｍ、さらに、第２の実施の形態において、＋１列の搬送手段の後方に＋２列の搬送手段を加えたときには、ＭＳ列の搬送手段と前方の−１列の搬送手段との間隔Ｘは８０ｍｍ、ＭＳ列の搬送手段と後方の＋１列の搬送手段の間隔Ｙは５０ｍｍ、＋１列の搬送手段と＋２列の搬送手段との間隔Ｚは５０ｍｍに設定している。
【００２２】
次に、このように構成された本実施の形態の動作について説明する。
【００２３】
まず、第１の実施の形態として、通帳１１がパルスモータ２５に駆動された駆動ローラ１９、１７，２０とピンチローラ２２、１８，２３とによって磁気ヘッド１６に搬送される。
【００２４】
通帳１１の磁気データ処理範囲１３の開始位置がセンサ２６により検出される。磁気ヘッド１６は制御部２７により制御され、磁気データの書き込みを開始する。この磁気データの書き込みは、磁気ヘッド１６の上を一定の速度で通帳１１を搬送しながら行われるようになっている。
【００２５】
ここで、通帳１１の先端１４が駆動ローラ１９，１７とピンチローラ２２，１８のニップ部に突入するときは速度変動を生じるが、通帳１１の先端１４は磁気データ処理範囲１３に使用しない箇所であるため磁気データの書き込みには何ら影響しない。
【００２６】
そして、通帳１１が移動し、その先端１４が駆動ローラ２０とピンチローラ２３に突入すると、通帳１１が駆動ローラ１９およびピンチローラ２２だけでなく、駆動ローラ１７とピンチローラ１８によっても搬送されているため、速度変動が発生することはない。
【００２７】
次に、通帳１１が移動し、後端１５が駆動ローラ１９とピンチローラ２２から脱出すると、従来は速度変動を生じたが本実施の形態においては通帳１１が駆動ローラ１７とピンチローラ１８だけでなく、駆動ローラ２０とピンチローラ２３によって搬送されるため、速度変動が発生することはない。
【００２８】
さらに、通帳１１が移動し、磁気ヘッド１６により磁気データ処理範囲１３の開始位置から磁気データの書き込み処理を行う。このとき、駆動ローラ１７，２０とピンチローラ１８，２３により搬送されている。この状態では速度変動の影響を受けることなく、通帳１１の磁気データ処理範囲１３に磁気データを確実に書き込むことができる。
【００２９】
以上の説明からわかるように、通帳１１の搬送において速度変動を生じるのは、通帳１１の先端１４および後端１５のいわゆる磁気データの磁気データ処理範囲１３に使用されない箇所だけである。本実施の形態に係る媒体の磁気データ処理装置は速度変動のない状態で通帳１１の磁気データ処理範囲１３に磁気データを書き込むことができる。すなわち、媒体１３は磁気データ処理範囲１３に磁気データ処理前に駆動ローラ２０に突入し、磁気データ処理中には媒体１１が駆動ローラ２０に突入しないように設定している。
【００３０】
このようにして、通帳１１に対する磁気データの書き込みが終了し、通帳１１の後端１５をセンサ２６が検出すると、一定時間後にパルスモータ２５を一旦停止させる。
【００３１】
次に、通帳１１に書き込まれた磁気データの読み取りを行う。
【００３２】
まず、パルスモータ２５を書き込みの場合と逆方向に回転させる。すなわち、通帳１１を逆方向に搬送させる。
【００３３】
ここでは、駆動ローラ２０、１７とピンチローラ２３、１８とによって逆方向に搬送された通帳１１の磁気データ処理範囲１３の後部位置がセンサ２６によって検出されると、そのデータに基づいて磁気データの読み取りを開始する。この磁気データの読み取りは、磁気ヘッド１６の上を一定の速度で通帳１１を搬送しながら行われるようになっている。
【００３４】
すなわち、本実施の形態においては、通帳１１が駆動ローラ２０、１７とピンチローラ２３、１８とによって搬送されるために速度変動が発生することはない。
【００３５】
次に、通帳１１が移動しその先端１４が駆動ローラ２０とピンチローラ２３から脱出するときは磁気データ処理範囲１３が磁気ヘッド１６の読み取り範囲から外れているため、磁気データの読み取りには何ら影響しない。
【００３６】
このようにして磁気データの読み取りが終了し通帳１１の先端１４を検出するとパルスモータ２５を一時停止する。そして、通帳１１を装置の外部に排出する。
【００３７】
以上の説明からわかるように、通帳１１の搬送において速度変動を生じるのは、書き込み時と同様に通帳１１の先端１４と後端１５の磁気データの磁気データ処理範囲１３に使用されない箇所だけである。本実施の形態は、速度変動のない状態で、磁気データ処理範囲１３の磁気データの読み取り処理をすることができる。
【００３８】
すなわち、磁気ヘッド１６の前後の前記搬送手段である駆動ローラ１９と２０との間隔を媒体１１の先端１４から磁気データ処理範囲１３までより長く設定することにより書き込み誤りを防止することができる。
【００３９】
具体的には、ＭＳ列と前方の−１列の搬送手段との間隔をＸ、ＭＳ列と後方の＋１の搬送手段との間隔をＹ、通帳１１の先端１４から磁気データ処理範囲１３の開始位置までの距離をＣ、磁気データ処理範囲１３の開始位置から通帳１１の後端１５までの距離をＤとすると、Ｙ＜Ｃ、Ｘ＞Ｄの関係にしたことで実現することができる。
【００４０】
次に、第２の実施の形態について図面を参照にして説明する。
【００４１】
まず、通帳１１がパルスモータ２５に駆動された駆動ローラ１９、１７、２０、２１とピンチローラ２２、１８、２３、２４とによって搬送される。第１の実施の形態に付け加えて説明をする。さらに、通帳１１が移動し、その先端１４が駆動ローラ２１とピンチローラ２４に突入すると、通帳１１が駆動ローラ１７およびピンチローラ１８だけでなく、駆動ローラ２０とピンチローラ２３によっても搬送されているため、速度変動が発生することはない。この状態、すなわち、駆動ローラ１７、２０、２１とピンチローラ１８，２３，２４によっても通帳１１が搬送され、磁気ヘッド１６により磁気データ処理範囲１３の開始位置から磁気データの書き込み処理が行われ、書き込み処理が終了した状態においても駆動ローラ１７、２０、２１とピンチローラ１８，２３，２４によっても通帳１１が搬送される。
【００４２】
以上の説明からわかるように、通帳１１の搬送において速度変動を生じるのは、通帳１１の先端１４および後端１５のいわゆる磁気データの磁気データ処理範囲１３に使用されない箇所だけである。本実施の形態に係る媒体の磁気データ処理装置は速度変動のない状態で通帳１１の磁気データ処理範囲１３に磁気データを書き込むことができる。
【００４３】
第１実施の形態と同様に、通帳１１に対する磁気データの書き込みが終了し、通帳１１の後端１５をセンサ２６が検出すると、一定時間後にパルスモータ２５を一旦停止させる。
【００４４】
次に、通帳１１に書き込まれた磁気データの読み取りを行う。
【００４５】
まず、パルスモータ２５を書き込みの場合と逆方向に回転させる。すなわち、通帳１１を逆方向に搬送させる。
【００４６】
ここでは、駆動ローラ２１、２０、１７とピンチローラ２４、２３、１８とによって逆方向に搬送された通帳１１の先端１４がセンサ２６によって検出されると、そのデータに基づいて磁気データの読み取りを開始する。この磁気データの読み取りは、磁気ヘッド１６の上を一定の速度で通帳１１を搬送しながら行われるようになっている。
【００４７】
すなわち、本実施の形態においては、通帳１１が駆動ローラ２１、２０、１７とピンチローラ２４、２３、１８とによって搬送されるために速度変動が発生することはない。
【００４８】
次に、通帳１１が移動しその後端１５が駆動ローラ２１とピンチローラ２４から脱出するときは磁気データ処理範囲１３が磁気ヘッド１６の読み取り範囲から外れているため、磁気データの読み取りには何ら影響しない。
【００４９】
このようにして磁気データの読み取りが終了し通帳１１の後端１５を検出するとパルスモータ２５を一時停止する。そして、通帳１１を装置の外部に排出する。
【００５０】
以上の説明からわかるように、通帳１１の搬送において速度変動を生じるのは、書き込み時と同様に通帳１１の先端１４と後端１５の磁気データの磁気データ処理範囲１３に使用されない箇所だけである。本実施の形態は、速度変動のない状態で、磁気データ処理範囲１３の磁気データの読み取り処理をすることができる。
【００５１】
すなわち、磁気ヘッド１６の前後の前記搬送手段である駆動ローラ１９と２０との間隔を媒体１１の先端１４から磁気データ処理範囲１３までより長く設定することにより書き込み誤りを防止することができる。
【００５２】
具体的には、−１列の搬送手段とＭＳ列の搬送手段との間隔をＸ、ＭＳ列の搬送手段と＋１列の搬送手段との間隔をＹ、＋１列の搬送手段と＋２列の搬送手段との間隔をＺ、通帳１１の先端１４から磁気データ処理範囲１３の開始位置までの距離をＣ、磁気データ処理範囲１３の開始位置から通帳１１の後端１５までの距離をＤとすると、Ｙ＋Ｚ＜Ｃ、Ｘ＞Ｄの関係にしたことによって実現することができる。
【００５３】
なお、説明の中で、書き込み・読み取りの関係で説明したが、逆さ方向の双方向において磁気データ処理範囲におけるローラへの突入、脱出を回避したローラ配列にすることができる。
【００５４】
以上のような説明からローラ配列をすることにより特別な機構を有することなく良好な磁気データ処理を行うこと可能になる。
【００５５】
なお、ここでいう媒体としては、通帳１１のほか、磁気カードなど磁気ストライプ１２を有するものであれば適用できる。
【００５６】
以上説明したように、本発明は前記実施の形態に限定されるものではなく、実施の段階ではその趣旨を逸脱しない範囲で種々に変形することが可能であるのは勿論である。
【図面の簡単な説明】
【００５７】
【図１】本発明に係る媒体の磁気データ処理装置において使用する通帳を説明する図。
【図２】本発明に係る媒体の磁気データ処理装置において要部構成を説明する側面図。
【符号の説明】
【００５８】
１１…通帳（媒体）、１２…磁気ストライプ、１３…磁気データ処理範囲、１４…先端、１５…後端、１６…磁気ヘッド、１７、１９、２０、２１…駆動ローラ（搬送手段）、１８、２２、２３、２４…ピンチローラ（搬送手段）、２５…パルスモータ（駆動手段）２６…センサ（位置検出手段）、２７…制御部。
【図１】
2006163595.tif 000003
【図２】
2006163595.tif 000004